(57)【要約】【課題】  水道の圧力が低い地域においても便器内壁面全体に均一で十分な洗浄水を供給することができて便器内壁面の洗浄性能を向上させることができ、便器の形状を設計する上での制約を少なくすることができる便器洗浄装置を提供すること。【解決手段】  便器２の上縁のリム３内に、通水方向が互いに異なる通水ホース４ａ、４ｂがそれぞれリム３内を略１周するように設けられ、各通水ホース４ａ、４ｂには通水方向と略同方向に洗浄水を吐出する吐出口５ａ、５ｂが形成され、吐出口５ａ、５ｂから洗浄水を吐出して便器内壁面６を洗浄する。【選択図】図１
2005273369.tif 000002
【特許請求の範囲】
【請求項１】
便器の上縁のリム内に、通水方向が互いに異なる通水ホースがそれぞれ前記リム内を略１周するように設けられ、
前記各通水ホースには通水方向と略同方向に洗浄水を吐出する吐出口が形成され、
前記吐出口から洗浄水を吐出して便器内壁面を洗浄することを特徴とする便器洗浄装置。
【請求項２】
前記各通水ホースは、便器の後方で給水弁と接続されるとともに、洗浄水が便器の後方から前方に向かう往路部分と、洗浄水が便器の前方から後方へ向かう復路部分とからなり、前記吐出口が、各通水ホースの往路部分の途中部と、復路部分の末端部に設けられてなることを特徴とする請求項１に記載の便器洗浄装置。
【請求項３】
前記各通水ホースは互いに上下に配列されてなることを特徴とする請求項１又は２に記載の便器洗浄装置。
【請求項４】
前記リムは、前記吐出口を固定するための固定部を備えてなり、この固定部はリムのその他の部位よりも幅が大きく形成されてなるとともに、この便器の上面に設けられる便座の底部に備えられた当接部と当接する位置に設けられてなることを特徴とする請求項１乃至３のいずれかに記載の便器洗浄装置。
【発明の詳細な説明】
【技術分野】
【０００１】
本発明は、洗浄水を吐出して便器内壁面を洗浄する便器洗浄装置に関するものである。
【背景技術】
【０００２】
従来より、図５に示すように、便器５１の上縁の無底リム５２内に複数の吐出口５３を設け、洗浄水が便器内壁面５４上を旋回するように吐出口５３から洗浄水を吐出することにより、便器内壁面５４を洗浄する便器洗浄装置５０が知られている。（特許文献１）
このような便器洗浄装置５０においては、便器内壁面５４の洗浄性能を向上させるために洗浄中に安定した給水量を確保する必要があり、このため、水道から直接給水する水道直結方式が用いられている。
【特許文献１】特開２００２−１４６８８７公報
【発明の開示】
【発明が解決しようとする課題】
【０００３】
しかしながら、上記特許文献１における便器洗浄装置５０を、水道の圧力が低い地域において用いた場合、給水弁５６から吐出口５３までをつなぐ各通水ホース５５の通水経路の形状や、通水方向と吐出方向の違い等によって洗浄水の圧力損失が大きくなり、その結果、洗浄水の流量が小さくなるために便器内壁面５４全体に均一で十分な洗浄水を供給できないという問題があった。
【０００４】
また、便器５１の外へ洗浄水を飛散させることなく洗浄性能を向上させるために、便器５１の形状を円形に近づけ、且つ、便器５１の上縁部の形状を高度に設計する必要があった。そのため、便器５１の形状を設計する上での制約が多いという問題があった。
【０００５】
本発明は、かかる事由に鑑みてなしたもので、その目的とするところは、水道の圧力が低い地域においても便器内壁面全体に均一で十分な洗浄水を供給することができて便器内壁面の洗浄性能を向上させることができ、便器の形状を設計する上での制約を少なくすることができる便器洗浄装置を提供することにある。
【課題を解決するための手段】
【０００６】
上記課題を解決するために、本発明では、第１には、便器の上縁のリム内に、通水方向が互いに異なる通水ホースがそれぞれ前記リム内を略１周するように設けられ、前記各通水ホースには通水方向と略同方向に洗浄水を吐出する吐出口が形成され、前記吐出口から洗浄水を吐出して便器内壁面を洗浄するようにする。
【０００７】
第２には、前記各通水ホースは、便器の後方で給水弁と接続されるとともに、洗浄水が便器の後方から前方に向かう往路部分と、洗浄水が便器の前方から後方へ向かう復路部分とからなり、前記吐出口が、各通水ホースの往路部分の途中部と、復路部分の末端部に設けられてなるようにする。
【０００８】
第３には、前記各通水ホースは互いに上下に配列されてなるようにする。
【０００９】
第４には、前記リムは、前記吐出口を固定するための固定部を備えてなり、この固定部はリムのその他の部位よりも幅が大きく形成されてなるとともに、この便器の上面に設けられる便座の底部に備えられた当接部と当接する位置に設けられてなるようにする。
【発明の効果】
【００１０】
上記本発明の第１の便器洗浄装置では、便器の上縁のリム内に、通水方向が互いに異なる通水ホースがそれぞれ前記リム内を略１周するように設けられ、前記各通水ホースには通水方向と略同方向に洗浄水を吐出する吐出口が形成され、前記吐出口から洗浄水を吐出して便器内壁面を洗浄するため、洗浄水の圧力損失を小さくすることができ、その結果、水道の圧力が低い地域においても便器内壁面全体に均一で十分な洗浄水を供給することができて便器内壁面の洗浄性能が向上する。
【００１１】
また、洗浄水が便器内壁面上を旋回することがないので、便器の形状を円形に近づけたり、便器の上縁部の形状を高度に設計したりしなくても、洗浄水が飛散するのを防止することができるので、便器の形状を設計する上での制約を少なくすることができる。
【００１２】
上記本発明の第２の便器洗浄装置では、上記第１の便器洗浄装置と同様の効果が得られ、また、吐出口が、各通水ホースの往路部分の途中部と、復路部分の末端部に設けられてなるため、各通水ホースの洗浄水の吐出方向が重なることがなく便器内壁面に効率的に洗浄水を吐出することができ、便器内壁面の洗浄性能がさらに向上する。
【００１３】
上記本発明の第３の便器洗浄装置では、上記第１の便器洗浄装置と同様の効果が得られ、また、通水ホースは互いに上下に配列されているため、リムの薄型化が可能になり、便器の形状を設計する上での自由度が上がる。
【００１４】
上記本発明の第４の便器洗浄装置では、上記第１の便器洗浄装置と同様の効果が得られ、また、リムは、吐出口を固定するための固定部を備えてなり、この固定部はリムのその他の部位よりも幅が大きく形成されてなるとともに、この便器の上面に設けられる便座の底部に備えられた当接部と当接する位置に設けられてなるため、便座を安定して支持することができるとともに、便器の強度を向上させることができる。
【発明を実施するための最良の形態】
【００１５】
本発明の実施形態における便器洗浄装置１について、図１〜３に基づいて説明する。本実施形態における便器洗浄装置１は、便器２の上縁のリム３内に、通水方向が互いに異なる通水ホース４ａ、４ｂがそれぞれリム内を略１周するように設けられ、通水ホース４ａ、４ｂにはそれぞれ通水方向と略同方向に洗浄水を吐出する吐出口５ａ、５ｂが形成され、吐出口５ａ、５ｂから洗浄水を吐出して便器内壁面６を洗浄するようになっている。
【００１６】
通水ホース４ａ、４ｂは互いに上下に配列されており、通水ホース４ａが上側、通水ホース４ｂが下側になっている。
【００１７】
通水ホース４ａは、便器２の後方で給水弁７と接続されるとともに、洗浄水が便器２の後方から前方に向かう往路部分１４ａと、洗浄水が便器２の前方から後方へ向かう復路部分２４ａとからなり、図１において反時計回りに通水される。また、通水ホース４ｂは、便器２の後方で給水弁７と接続されるとともに、洗浄水が便器２の後方から前方に向かう往路部分１４ｂと、洗浄水が便器２の前方から後方へ向かう復路部分２４ｂとからなり、図１において時計回りに通水される。
【００１８】
吐出口５ａは、通水ホース４ａの往路部分１４ａの途中部と、復路部分２４ａの末端部に設けられている。また、吐出口５ｂは、通水ホース４ｂの往路部分１４ｂの途中部と、復路部分２４ｂの末端部に設けられている。
【００１９】
リム３は、吐出口５ａ、５ｂを固定するための固定部８〜１１を備えている。ここで、図２（ａ）に示すように、これらの各固定部は、図２（ｂ）に示すようなリム３のその他の部位よりも幅が大きくなるように形成されている。
【００２０】
ここで、固定部１０について、図３を用いて説明する。固定部１０では、通水ホース４ａにおける復路部分２４ａの末端部に吐出口５ａが設けられ、通水ホース４ｂの往路部分１４ｂの途中部に吐出口５ｂが設けられている。
【００２１】
吐出口５ａ、５ｂは、それぞれ通水ホース４ａ、４ｂの通水方向と略同方向に洗浄水を吐出する。ここで、通水方向と略同方向とは、通水方向と平行な方向、または通水方向から９０°未満の角度で傾斜した方向であり、通水ホース４ａ、４ｂ内を洗浄水がそれぞれ進行する向きと同じ向きである。
【００２２】
また、図４に示すように、固定部８〜１１は、この便器２の上面に設けられる便座４０の底部に備えられた当接部４１〜４４と当接する位置に設けられている。
【００２３】
また、吐出口５ａ、５ｂの径は、各位置における洗浄水の圧力損失を考慮して設計されており、各位置での吐出量のバラツキを抑えている。
【００２４】
このような便器洗浄装置１において、給水弁７から通水ホース４ａ、４ｂに洗浄水が通水されると、洗浄水は吐出口５ａ、５ｂから吐出され、図１中に矢印で示したように便器２の便器内壁面６を洗浄する。
【００２５】
以上のように、本実施形態においては、便器２の上縁のリム３内に、通水方向が互いに異なる通水ホース４ａ、４ｂがそれぞれリム３内を略１周するように設けられ、各通水ホース４ａ、４ｂには通水方向と略同方向に洗浄水を吐出する吐出口５ａ、５ｂが形成され、吐出口５ａ、５ｂから洗浄水を吐出して便器内壁面６を洗浄するため、洗浄水の圧力損失を小さくすることができ、その結果、水道の圧力が低い地域においても便器内壁面６全体に均一で十分な洗浄水を供給することができて便器内壁面６の洗浄性能が向上する。
【００２６】
また、洗浄水が便器内壁面６上を旋回することがないので、便器２の形状を円形に近づけたり、便器２の上縁部の形状を高度に設計したりしなくても、洗浄水が飛散するのを防止することができるので、便器２の形状を設計する上での制約を少なくすることができる。
【００２７】
また、吐出口５ａ、５ｂが、各通水ホース４ａ、４ｂの往路部分１４ａの途中部と、復路部分２４ａの末端部に設けられてなるため、各通水ホース４ａ、４ｂの洗浄水の吐出方向が重なることがなく便器内壁面６に効率的に洗浄水を吐出することができ、便器内壁面６の洗浄性能がさらに向上する。
【００２８】
また、便器２の後方から左右対称に洗浄水を吐出することができるため、洗浄水の吐出バラツキを抑えることができる。
【００２９】
また、通水ホース４ａ、４ｂは互いに上下に配列されているため、リム３の薄型化が可能になり、便器２の形状を設計する上での自由度が上がる。
【００３０】
また、リム３は、吐出口５ａ、５ｂを固定するための固定部８〜１１を備えてなり、これらの各固定部８〜１１はリム３のその他の部位よりも幅が大きく形成されてなるとともに、この便器２の上面に設けられる便座４０の底部に備えられた当接部４１〜４４と当接する位置に設けられてなるため、便座４０を安定して支持することができるとともに、便器２の強度を向上させることができる。
【図面の簡単な説明】
【００３１】
【図１】本発明の実施形態における便器洗浄装置１の横断面図である。
【図２】（ａ）同実施形態における固定部１０の縦断面図である。（ｂ）同実施形態における固定部以外でのリム３の縦断面図である。
【図３】同実施形態における固定部１０の横断面図である。
【図４】同実施形態における便器２に便座４０を取り付けた場合の斜視図である。
【図５】従来の便器洗浄装置の横断面図である。
【符号の説明】
【００３２】
１          便器洗浄装置
２          便器
３          リム
４ａ、４ｂ  通水ホース
５ａ、５ｂ  吐出口
６          便器内壁面
７          給水弁
８〜１１    固定部
【図１】
2005273369.tif 000003
【図２】
2005273369.tif 000004
【図３】
2005273369.tif 000005
【図４】
2005273369.tif 000006
【図５】
2005273369.tif 000007